(57)【特許請求の範囲】
【請求項１】
互いに対向する天面板及び底面板と互いに対向する正面板及び背面板と互いに対向する一対の側面板と前記天面板から延出されて前記正面板の内面に重ね合わされる差込フラップとを備えたケース本体部と、
前記天面板と前記背面板との間に形成されたヒンジ部と、
前記天面板と前記一対の側面板との間の稜線部の中央部に、該稜線部の長さの８０％以上の長さで形成された切込部と、
前記天面板の前記正面板側の一部及び前記背面板側の一部と前記一対の側面板との間のみを連結し、前記天面板を開封するときに破断される破断部と、
を有するラップアラウンドケース。
【請求項２】
前記破断部は、前記正面板側の一部及び前記背面板側の一部に、それぞれ前記切込部とは別の切込部を挟んで２つ又は３つ形成されている請求項１に記載のラップアラウンドケース。
【請求項３】
前記正面板の上端部で、かつ前記側面板の対向方向における中央に対して一端側又は他端側にオフセットされた位置に、前記差込フラップの一部を露出させる切欠部が形成されている請求項１又は請求項２に記載のラップアラウンドケース。
【請求項４】
前記差込フラップにおける前記切欠部から露出した一部が、他の部分よりも前記天面板からの延出長さが短く形成された短尺部とされ、前記短尺部の下端部と前記切欠部の下端部との間に間隙部が形成されている請求項３に記載のラップアラウンドケース。
【請求項５】
前記切欠部は、円弧状に形成されている請求項３又は請求項４に記載のラップアラウンドケース。
【請求項６】
前記側面板の対向方向内側には、内板が配置されており、前記内板の前記正面板側の上端部が前記正面板側から前記背面板側へ行くに従って下方へ傾斜する傾斜部とされている請求項１〜請求項５の何れか１項に記載のラップアラウンドケース。
【発明の詳細な説明】
【技術分野】
【０００１】
本発明は、ラップアラウンドケースに関する。
【背景技術】
【０００２】
易開封性を付与するために、天面蓋部の稜部全体に亘ってミシン目が設けられ、天面蓋部を開封した後、その天面蓋部を簡便に再封できるようにしたラップアラウンドケースは、従来から知られている（例えば、特許文献１参照）。
【先行技術文献】
【特許文献】
【０００３】
【特許文献１】特開２００２−１２２２０号公報
【発明の概要】
【発明が解決しようとする課題】
【０００４】
しかしながら、天面蓋部の稜部全体に亘ってミシン目が設けられていると、天面蓋部を開封した後で、その天面蓋部を再封しても、ミシン目の破断跡が目立ってしまうため、ラップアラウンドケースの見栄えが損なわれるおそれがある。
【０００５】
そこで、本発明は、天面板を開封した後で、その天面板を再封しても、破断跡を目立ち難くできるラップアラウンドケースを得ることを目的とする。
【課題を解決するための手段】
【０００６】
上記の目的を達成するために、本発明に係るラップアラウンドケースは、互いに対向する天面板及び底面板と互いに対向する正面板及び背面板と互いに対向する一対の側面板と天面板から延出されて正面板の内面に重ね合わされる差込フラップとを備えたケース本体部と、天面板と背面板との間に形成されたヒンジ部と、天面板と一対の側面板との間の稜線部の中央部に、その稜線部の長さの８０％以上の長さで形成された切込部と、天面板の正面板側の一部及び背面板側の一部と一対の側面板との間のみを連結し、天面板を開封するときに破断される破断部と、を有している。
【発明の効果】
【０００７】
本発明によれば、天面板を開封した後で、その天面板を再封しても、破断跡を目立ち難くすることができる。
【図面の簡単な説明】
【０００８】
【図１】本実施形態に係るラップアラウンドケースを正面側の斜め上方から見た斜視図である。
【図２】本実施形態に係るラップアラウンドケースの展開図である。
【図３】本実施形態に係るラップアラウンドケースの正面図である。
【図４】本実施形態に係るラップアラウンドケースの天面板と側面板との間の稜線部を拡大して示す斜視図である。
【図５】本実施形態に係るラップアラウンドケースを開封する状態を示す斜視図である。
【図６】本実施形態に係るラップアラウンドケースを開封した状態を示す斜視図である。
【図７】本実施形態に係るラップアラウンドケースの天面板と側面板との間の稜線部の変形例を拡大して示す斜視図である。
【発明を実施するための形態】
【０００９】
以下、本発明に係る実施の形態について、図面を基に詳細に説明する。なお、説明の便宜上、各図に示される矢印ＦＲをラップアラウンドケース１０の前方向（正面側）とし、その反対方向を後方向（背面側）とする。また、矢印ＬＨをラップアラウンドケース１０の左方向とし、左右方向をラップアラウンドケース１０の幅方向とする。更に、矢印ＵＰをラップアラウンドケース１０の上方向とする。
【００１０】
また、図６に示されるように、本実施形態では、ラップアラウンドケース１０に収容される製品として、記録テープカートリッジＴＣを例に採るが、本実施形態に係るラップアラウンドケース１０に収容される製品は、記録テープカートリッジＴＣに限定されるものではない。また、本実施形態に係るラップアラウンドケース１０は、一例として、厚みが均一な紙製又はプラスチック製の段ボールシートを用いて形成されている。
【００１１】
図１に示されるように、ラップアラウンドケース１０は、封緘状態（記録テープカートリッジＴＣが収容されて組み立てられた状態）で略箱状となるケース本体部１２を備えている。つまり、そのケース本体部１２内には、図６に示されるように、複数の記録テープカートリッジＴＣが収容されている。
【００１２】
記録テープカートリッジＴＣは、磁気テープ等の記録テープが巻装された単一のリール（図示省略）が扁平直方体形状のケース内に収容されて構成されており、主にコンピューターなどのデータバックアップとして用いられる。そのため、記録テープカートリッジＴＣは、そのケースよりも一回り大きい扁平直方体形状のプラスチック容器に収容されて保管される場合がある。
【００１３】
本実施形態では、このプラスチック容器に収容された状態の複数の記録テープカートリッジＴＣが、ラップアラウンドケース１０のケース本体部１２内に、後述する側面板２０の対向方向（左右方向）にリールの軸方向を向けてほぼ隙間無く収容されている。なお、本実施形態に係るラップアラウンドケース１０のケース本体部１２は、５本の記録テープカートリッジＴＣが収容可能となる大きさに形成されている。
【００１４】
図１、図２に示されるように、ケース本体部１２は、正面板２２、底面板２４、背面板２６、天面板２８、差込フラップ３０及び一対の側面板２０を含んで構成されている。封緘状態のラップアラウンドケース１０では、正面板２２と背面板２６とが前後方向で対向し、天面板２８と底面板２４とが上下方向で対向し、一対の側面板２０が幅方向で対向するようになっている。
【００１５】
したがって、正面板２２と背面板２６、底面板２４と天面板２８及び一対の側面板２０は、それぞれ同じ大きさの略矩形状に形成されている。そして、ラップアラウンドケース１０の封緘状態で、正面板２２の上端部となる部分には、切欠部２２Ａが形成されている。なお、この切欠部２２Ａと差込フラップ３０については、後で詳述する。
【００１６】
図２に一点鎖線で示されるように、正面板２２と底面板２４との間、底面板２４と背面板２６との間及び背面板２６と天面板２８との間には、それぞれ折罫Ｌ１が形成されている。つまり、正面板２２と底面板２４と背面板２６と天面板２８は、折罫Ｌ１を介して連結されている。なお、背面板２６と天面板２８との間の折罫Ｌ１が、天面板２８を開閉させるときのヒンジ部４２となっている。また、折罫Ｌ１とは、折り曲げを容易にするための罫線加工であり、後述する折罫Ｌ２も同様である。
【００１７】
図２に示されるように、正面板２２の幅方向両側には、一対の前側内フラップ３２がそれぞれ設けられている。一対の前側内フラップ３２は、それぞれ先端側の角部が円弧状とされた略台形状に形成されている。つまり、ラップアラウンドケース１０の封緘状態で上側となる前側内フラップ３２の辺縁部（上端部）が、前側（正面板２２側）から後側（背面板２６側）へ行くに従って下方へ傾斜する傾斜部３２Ａとされている。
【００１８】
また、正面板２２と一対の前側内フラップ３２との間には、折罫Ｌ２が形成されており、この折罫Ｌ２に沿って前側内フラップ３２が折り曲げられるようになっている。そして、この前側内フラップ３２により、側面板２０の幅方向内側に配置される内板１８の前側が構成されるようになっている。
【００１９】
背面板２６の幅方向両側には、一対の後側内フラップ３６がそれぞれ設けられている。一対の後側内フラップ３６は、それぞれ先端側の角部が円弧状とされた略矩形状に形成されている。また、背面板２６と一対の後側内フラップ３６との間には、折罫Ｌ２が形成されており、この折罫Ｌ２に沿って後側内フラップ３６が折り曲げられるようになっている。
【００２０】
そして、この後側内フラップ３６により、内板１８の後側が構成されるようになっている。なお、折罫Ｌ２によって折り曲げられた前側内フラップ３２の後端面と、折罫Ｌ２によって折り曲げられた後側内フラップ３６の前端面との間には、隙間が形成される構成になっていてもよいし（図６参照）、その後端面と前端面とが突き当てられる構成になっていてもよい。
【００２１】
底面板２４の幅方向両側には、一対の下側外フラップ３４がそれぞれ設けられている。一対の下側外フラップ３４は、それぞれ先端側の角部が円弧状とされた略矩形状に形成されている。また、底面板２４と一対の下側外フラップ３４との間には、折罫Ｌ２が形成されており、この折罫Ｌ２に沿って下側外フラップ３４が折り曲げられるようになっている。そして、この下側外フラップ３４により、側面板２０の下側が構成されるようになっている。
【００２２】
天面板２８の幅方向両側には、一対の上側外フラップ３８がそれぞれ設けられている。一対の上側外フラップ３８は、それぞれ先端側の角部が円弧状とされた略矩形状に形成されている。また、天面板２８と一対の上側外フラップ３８との間には、切込部１６及び破断部４０が形成されており、この破断部４０（切込部１６）に沿って上側外フラップ３８が折り曲げられることにより、稜線部１４が形成されるようになっている。なお、切込部１６及び破断部４０については、後で詳述する。
【００２３】
そして、この上側外フラップ３８により、側面板２０の上側が構成されるようになっている。つまり、側面板２０は、下側に配置された下側外フラップ３４と、上側に配置された上側外フラップ３８と、で構成されており、前側内フラップ３２と後側内フラップ３６とで構成された内板１８の幅方向外側に配置されるようになっている。
【００２４】
より具体的には、後述するように折罫Ｌ１、Ｌ２等を全て折り曲げ、上側外フラップ３８及び下側外フラップ３４の内面が、内板１８を構成する前側内フラップ３２及び後側内フラップ３６の外面に、幅方向外側から重ねられて接着剤等で接合されることにより、側面板２０が構成されるようになっている。
【００２５】
なお、図１に示されるように、本実施形態に係るラップアラウンドケース１０では、上側外フラップ３８と下側外フラップ３４とが上下に突き当てられる構成になっているが、上側外フラップ３８と下側外フラップ３４との間には、隙間が形成される構成になっていてもよい。また、図１では、右側の側面板２０のみが示されているが、左側の側面板２０も同様に構成されている。
【００２６】
次に、正面板２２に形成された切欠部２２Ａと、天面板２８から延出された差込フラップ３０について説明する。
【００２７】
図３に示されるように、ラップアラウンドケース１０の封緘状態で、正面板２２の上端部には、正面視で、上方側が開放側とされた略Ｕ字状の切欠部２２Ａが形成されている。つまり、この切欠部２２Ａの下端部は、略円弧状とされている。そして、この切欠部２２Ａは、正面板２２の幅方向の中心線Ｃ１（中央）に対して右側にオフセットした位置に形成されている。
【００２８】
なお、ここで言う「オフセットした位置に形成されている」とは、切欠部２２Ａの幅方向の中央が正面板２２の幅方向の中央に対して右側（一端側）又は左側（他端側）にオフセットされた位置に形成された構成を含む概念である。したがって、切欠部２２Ａの幅方向の中心線Ｃ２が正面板２２の幅方向の中心線Ｃ１に対して右側又は左側にオフセットされていれば、中心線Ｃ１を跨ぐ位置に切欠部２２Ａが形成されていてもよい。
【００２９】
図１、図２に示されるように、差込フラップ３０は、天面板２８の背面板２６とは反対側に連結（延出）されており、展開状態で、先端側（延出方向側）の角部が円弧状とされた、幅方向に細長い略矩形状とされている。そして、差込フラップ３０と天面板２８との間には、折罫Ｌ１が形成されており、この折罫Ｌ１に沿って差込フラップ３０が折り曲げられるようになっている。
【００３０】
なお、ラップアラウンドケース１０の封緘時には、差込フラップ３０は、正面板２２の上部内側に配置されて、その正面板２２の内面に重ね合わされるようになっている。そして、ラップアラウンドケース１０を開封した後は、この差込フラップ３０が正面板２２の上部内側に差し込まれることによって、ラップアラウンドケース１０が再封（再梱包）される構成になっている。
【００３１】
差込フラップ３０の幅方向の長さは、天面板２８とほぼ同一の長さに形成されており、封緘状態における差込フラップ３０の上下方向の長さ（延出長さ）は、正面板２２の上下方向の長さの半分よりも短く形成されている。なお、差込フラップ３０の上下方向の長さは、特に限定されるものではなく、正面板２２の上部内側から容易に抜けない程度の長さで、かつ再封時に正面板２２の上部内側へ差し込む作業性が損なわれない程度の長さであればよい。
【００３２】
また、差込フラップ３０には、先端部（封緘状態で下端部）の一部が略矩形状に切り欠かれることにより、短尺部３０Ａが形成されている。図３に示されるように、短尺部３０Ａは、正面視で、切欠部２２Ａから露出する部分に形成されており、差込フラップ３０の他の部分（一般部）よりも上下方向の長さが短くされている。そして、短尺部３０Ａの幅方向の長さは、切欠部２２Ａの幅よりも若干長くされている。
【００３３】
また、正面板２２に形成された切欠部２２Ａの下端部は、差込フラップ３０に形成された短尺部３０Ａの下端部よりも下方側に位置している。これにより、短尺部３０Ａの下端部と切欠部２２Ａの下端部との間に、天面板２８（ラップアラウンドケース１０）を開封するときに手指が挿入可能となる間隙部Ｓが形成されるようになっている。
【００３４】
次に、天面板２８と上側外フラップ３８との間の稜線部１４に形成されている切込部１６及び破断部４０について説明する。
【００３５】
図１、図２、図４に示されるように、切込部１６は、天面板２８と上側外フラップ３８（側面板２０）との間の稜線部１４に沿って形成されており、天面板２８と上側外フラップ３８とを分断している。破断部４０は、天面板２８の前側（正面板２２側）及び後側（背面板２６側）と、上側外フラップ３８（側面板２０）の前側（正面板２２側）及び後側（背面板２６側）との間をそれぞれ連結するようになっており、天面板２８と上側外フラップ３８とが分断されないように繋いでいる。
【００３６】
つまり、上側外フラップ３８は、前後各１箇所の破断部４０のみによって天面板２８に連結されている。そして、天面板２８（ラップアラウンドケース１０）を開封するときには、この前後各１箇所の破断部４０が破断されるようになっている。なお、破断部４０の前後方向の長さは、特に限定されないが、ラップアラウンドケース１０の封緘時には、その封緘状態を維持でき、ラップアラウンドケース１０の開封時には、容易に破断できる程度の長さとされていればよい。
【００３７】
以上のような構成とされたラップアラウンドケース１０において、次にその作用について説明する。
【００３８】
プラスチック容器に収容された状態の複数（例えば５本）の記録テープカートリッジＴＣをラップアラウンドケース１０内に封緘する際には、各記録テープカートリッジＴＣを底面板２４の内面上に載置する。なお、このとき、記録テープカートリッジＴＣは、そのリールの軸方向を左右方向（側面板２０の対向方向）に向けて並べられる。
【００３９】
そして、全ての折罫Ｌ１、Ｌ２及び破断部４０を折り曲げ、差込フラップ３０を正面板２２の上部内側に配置した状態で、内板１８を構成する前側内フラップ３２及び後側内フラップ３６の外面に、側面板２０を構成する上側外フラップ３８及び下側外フラップ３４の内面を接着剤等によって接合する。これにより、複数の記録テープカートリッジＴＣが封緘されたラップアラウンドケース１０が組み立てられる。
【００４０】
封緘状態のラップアラウンドケース１０を開封する際には、作業者が差込フラップ３０の短尺部３０Ａの下端部に手指を掛けて天面板２８を引き上げ、破断部４０を破断させる。このとき、図３に示されるように、短尺部３０Ａの下端部と切欠部２２Ａの下端部との間には間隙部Ｓが形成されているので、作業者は、その間隙部Ｓに手指を挿入することで容易に差込フラップ３０（天面板２８）を引き上げることができる。
【００４１】
つまり、間隙部Ｓが形成されていない構成に比べて、開封時の作業性を向上させることができる。また、図４に示されるように、天面板２８と上側外フラップ３８とを連結する破断部４０は、左右それぞれの稜線部１４における正面板２２側と背面板２６側の各１箇所にしか形成されていない。そのため、作業者が差込フラップ３０の短尺部３０Ａの下端部に手指を掛けて天面板２８を引き上げたときには、各破断部４０が容易に破断される。
【００４２】
詳細に説明すると、図３に示されるように、正面板２２に形成されている切欠部２２Ａは、正面板２２の中心線Ｃ１（中央）に対して右側にオフセットした位置に形成されているため、天面板２８を引き上げたときには、右側前方の破断部４０へより多くの荷重が作用する。したがって、右側前方の破断部４０が他の破断部４０よりも先に破断される。
【００４３】
その後、天面板２８を引き上げると、図５に示されるように、ケース本体部１２の右前側が開封され始め、続いて左側前方の破断部４０及び右側後方の破断部４０に対して荷重が作用する。つまり、左側前方の破断部４０及び右側後方の破断部４０が破断される。そして、更に天面板２８を引き上げると、左側後方の破断部４０に対して荷重が作用し、左側後方の破断部４０が破断される。
【００４４】
以上により、ラップアラウンドケース１０が開封されるが、本実施形態では、右側前方（一方）の破断部４０に荷重を集中させて破断した後、左側前方や右側後方（他方）の破断部４０に荷重を集中させて破断するため、各破断部４０を小さい荷重で破断することができる。
【００４５】
例えば、切欠部２２Ａが、正面板２２の中心線Ｃ１（中央）の位置に形成された構成では、短尺部３０Ａの下端部に手指を掛けて天面板２８を引き上げると、左右両側前方の破断部４０へほぼ均等に荷重が分散されることになる。そのため、天面板２８を開封するときには、左右両側前方の破断部４０を一度に破断する荷重が必要となる。
【００４６】
これに対し、本実施形態に係るラップアラウンドケース１０では、まず右側前方の破断部４０へ荷重を集中させるため、左右両側前方の破断部４０を一度に破断する場合に比べて、小さい荷重で破断部４０を破断させることができる。したがって、天面板２８を開封するのに必要な荷重を低減させることができ、ラップアラウンドケース１０の開封性を向上させることができる。
【００４７】
こうして、各破断部４０が破断されることで、図６に示されるように、ラップアラウンドケース１０（天面板２８）が開封されるが、本実施形態に係るラップアラウンドケース１０では、破断部４０が、各稜線部１４において、前後各１箇所にしか形成されていない。したがって、各稜線部１４にミシン目状に多数の破断部が形成されている構成に比べて、破断跡を目立ち難くすることができ、ラップアラウンドケース１０の見栄えが損なわれるのを抑制することができる。
【００４８】
また、図６に示されるように、前側内フラップ３２の上端部が、前側（正面板２２側）から後側（背面板２６側）へ行くに従って下方へ傾斜する傾斜部３２Ａとされているので、開封された状態のケース本体部１２内から記録テープカートリッジＴＣを取り出す際には、右端又は左端の記録テープカートリッジＴＣと上側外フラップ３８との間に手指を挿入して記録テープカートリッジＴＣを取り出すことができる。
【００４９】
つまり、本実施形態に係るラップアラウンドケース１０のように、ほぼ隙間無く記録テープカートリッジＴＣがケース本体部１２内に収容されている場合であっても、そのケース本体部１２内から記録テープカートリッジＴＣを容易に取り出すことができる。なお、傾斜部３２Ａは、右側の前側内フラップ３２の上端部のみ又は左側の前側内フラップ３２の上端部のみに形成される構成とされていてもよい。
【００５０】
また、後側内フラップ３６の上端部に、後側（背面板２６側）から前側（正面板２２側）へ行くに従って下方へ傾斜する傾斜部（図示省略）を形成してもよいが、このラップアラウンドケース１０は、前側から開放される構成になっている（後側がヒンジ部４２となっている）ため、前側内フラップ３２の上端部に傾斜部３２Ａを形成するのが望ましい。
【００５１】
また、ケース本体部１２内から取り出された記録テープカートリッジＴＣは、例えばラベル（図示省略）が貼付された後、再びケース本体部１２内に収容されることがある。したがって、本実施形態に係るラップアラウンドケース１０は、再封（再梱包）可能な構成になっている。
【００５２】
すなわち、差込フラップ３０を正面板２２の上部内側に差し込むことにより、ラップアラウンドケース１０を再封できるようになっている。なお、このときも、破断部４０を破断したことによる破断跡が目立ち難いので、ラップアラウンドケース１０の見栄えが損なわれるのを抑制することができる。
【００５３】
また、本実施形態に係るラップアラウンドケース１０では、図３に示されるように、切欠部２２Ａの下端部が略円弧状に形成されている。したがって、例えば切欠部２２Ａを略矩形状に切り欠いた構成に比べて、手指を挿入させるための間隙部Ｓを確保しつつ、ケース本体部１２の内部（記録テープカートリッジＴＣ）が外部へ露出するのを抑制することができる。
【００５４】
以上、本実施形態に係るラップアラウンドケース１０について、図面を基に説明したが、本実施形態に係るラップアラウンドケース１０は、図示のものに限定されるものではなく、本発明の要旨を逸脱しない範囲内において、適宜設計変更可能なものである。例えば、本実施形態における差込フラップ３０は、封緘状態で正面板２２の上部内側に差し込まれているが、これに限定されるものではなく、正面板２２の上部外面に、剥離が容易な接着剤等で接合されていてもよい。
【００５５】
この場合、差込フラップ３０を正面板２２の上部外面から剥離した後、その差込フラップ３０の右端部又は左端部を把持して天面板２８を引き上げることにより、上記と同様に、ラップアラウンドケース１０を開封することができる。なお、この場合には、差込フラップ３０に短尺部３０Ａを形成しなくて済む利点がある。また、開封後は、その差込フラップ３０を正面板２２の上部内側に差し込むことで、再封（再梱包）することができる。
【００５６】
また、切欠部２２Ａの上下方向の長さを、差込フラップ３０の上下方向の長さよりも長くした場合にも、差込フラップ３０に短尺部３０Ａを形成しなくて済む。また、本実施形態に係るラップアラウンドケース１０では、切欠部２２Ａが、正面板２２の幅方向の中心線Ｃ１に対して右側にオフセットした位置に形成されているが、これに限定されるものではなく、中心線Ｃ１に対して左側にオフセットした位置に形成されていてもよい。
【００５７】
更に、その切欠部２２Ａは、正面板２２の幅方向の中心線Ｃ１に対して右側にオフセットした位置と、中心線Ｃ１に対して左側にオフセットした位置との両方に形成されていてもよい。その場合、差込フラップ３０の短尺部３０Ａも、各切欠部２２Ａに対応して左右両側に形成される。また、破断部４０の破断が容易であれば、切欠部２２Ａは、その幅方向の中心線Ｃ２を、正面板２２の幅方向の中心線Ｃ１に一致させた位置に形成されていてもよい。
【００５８】
また、本実施形態に係るラップアラウンドケース１０では、破断部４０が、各稜線部１４の前後にそれぞれ１つずつ形成されているが、これに限定されるものではない。破断部４０は、例えば図７に示されるように、天面板２８及び上側外フラップ３８（側面板２０）の前側（正面板２２側）に２つ設けられ、天面板２８及び上側外フラップ３８（側面板２０）の後側（背面板２６側）に２つ設けられる構成にしてもよい。
【００５９】
また、図示はしないが、破断部４０は、天面板２８及び上側外フラップ３８（側面板２０）の前側（正面板２２側）に３つ設けられ、天面板２８及び上側外フラップ３８（側面板２０）の後側（背面板２６側）に３つ設けられる構成にしてもよい。更に、その破断部４０の数量は、各稜線部１４の前後で異なるようにしてもよいし、左右の稜線部１４で異なるようにしてもよい。
【００６０】
つまり、破断部４０は、例えば左右の稜線部１４において、それぞれ前側が２つ、後側が１つとされてもよいし、右側の稜線部１４では、前側が２つ、後側が２つとされ、左側の稜線部１４では、前側が１つ、後側が１つとされてもよい。何れにしても、破断部４０は、稜線部１４の前後方向両端部にそれぞれ小さく纏まって設けられていればよく、切込部１６は、稜線部１４の前後方向中央部をその前後方向に大きく分断する長さ（例えば稜線部１４の長さの８０％以上の長さ）に形成されていればよい。
【００６１】
また、本実施形態に係るラップアラウンドケース１０のケース本体部１２は、５本の記録テープカートリッジＴＣが収容可能となる大きさに形成されているが、ケース本体部１２の大きさは、これに限定されるものではない。ケース本体部１２の大きさは、例えば６本以上の記録テープカートリッジＴＣが収容可能となる大きさに形成されていてもよいし、４本以下の記録テープカートリッジＴＣが収容可能となる大きさに形成されていてもよい。
【符号の説明】
【００６２】
１０  ラップアラウンドケース
１２  ケース本端部
１４  稜線部
１６  切込部
１８  内板
２０  側面板
２２  正面板
２２Ａ  切欠部
２４  底面板
２６  背面板
２８  天面板
３０  差込フラップ
３２Ａ  傾斜部
４０  破断部
４２  ヒンジ部
Ｓ  間隙部
【図１】
0006444838.tif 000002
【図２】
0006444838.tif 000003
【図３】
0006444838.tif 000004
【図４】
0006444838.tif 000005
【図５】
0006444838.tif 000006
【図６】
0006444838.tif 000007
【図７】
0006444838.tif 000008